(57)【要約】【課題】導電部材を外部に押し出そうとする力に起因して、ハウジング部が歪むのを抑制することが可能な回転電機を提供する。【解決手段】このモータ１００（回転電機）は、導電部材４１をハウジング部２０に取り付けるためのナット５１が収容される収容部３３を備え、収容部３３は、平面視において、ナット５１と略同じ大きさを有する第１収容部３４と、平面視において、ナット５１より大きいとともに、第１収容部３４にナット５１が収容された状態で、導電部材４１を介してボルト５２がナット５１に締結されることにより、第１収容部３４に収容されていたナット５１が移動して収容される第２収容部３５とを含む。【選択図】図６
2018007429.tif 000002
【特許請求の範囲】
【請求項１】
ロータおよびステータが収容されるケース部と、
前記ケース部の開口を覆うように設けられるハウジング部と、
回転電機本体部に給電するための外部配線が接続される導電部材と、
前記導電部材を前記ハウジング部に取り付けるための第１締結部材が収容される収容部とを備え、
前記収容部は、平面視において、前記第１締結部材と略同じ大きさを有する第１収容部と、平面視において、前記第１締結部材より大きいとともに、前記第１収容部に前記第１締結部材が収容された状態で、前記導電部材を介して第２締結部材が前記第１締結部材に締結されることにより、前記第１収容部に収容されていた前記第１締結部材が移動して収容される第２収容部とを含む、回転電機。
【請求項２】
前記第１締結部材が前記第２収容部に収容された状態で、前記導電部材の前記外部配線が接続されている方向側において、前記第２収容部と前記第１締結部材との間に隙間が生じるように構成されている、請求項１に記載の回転電機。
【請求項３】
前記第１締結部材は、平面視において、多角形形状を有し、
前記第１収容部は、平面視において、多角形形状を有する前記第１締結部材に対応する多角形形状を有し、
前記第２収容部は、前記多角形形状を有する前記第１収容部の互いに対向する一対の対向面に連続するように一対設けられ、前記第１締結部材が前記第２収容部に収容された際に前記第１締結部材に当接する当接面を有する、請求項１または２に記載の回転電機。
【請求項４】
前記導電部材と前記第２締結部材との間に設けられ、前記導電部材を位置決めするための略Ｌ字形状を有する位置決め部材をさらに備え、
前記導電部材は、前記ハウジング部に設けられる穴部に挿入されるように構成されており、
前記収容部の近傍には、前記導電部材が前記穴部に挿入される方向に沿って延びるように設けられ、前記略Ｌ字形状を有する前記位置決め部材の端部が挿入される溝部が設けられている、請求項１〜３のいずれか１項に記載の回転電機。
【請求項５】
前記回転電機は、前記ケース部および前記ハウジング部に囲まれた空間が気密性を有する、コンプレッサ用のモータを含む、請求項１〜４のいずれか１項に記載の回転電機。
【発明の詳細な説明】
【技術分野】
【０００１】
本発明は、回転電機に関し、特に、回転電機本体部に給電するための外部配線が接続される導電部材を備えた回転電機に関する。
【背景技術】
【０００２】
従来、回転電機本体部に給電するための外部配線が接続される導電部材を備えたモータが知られている（たとえば、特許文献１参照）。
【０００３】
上記特許文献１には、モータケースの開口部に蓋をするハウジングを備えるモータが開示されている。このモータでは、ハウジングには、モータの駆動機構に給電するためのワイヤハーネスを差し込むための穴部が設けられている。また、ワイヤハーネスの先端には端子が設けられている。また、ハウジングにはナットを収容するための収容部（穴部）が設けられている。そして、端子を介してねじが収容部に収容されたナットに螺合されることにより、端子がハウジングに固定されている。
【０００４】
また、ナットが収容される収容部は、回転軸方向に沿って窪む凹形状を有する。また、収容部は、ナットの大きさと略同じ大きさであると考えられる。すなわち、凹形状の収容部の内側面にナットの外側面が当接した状態（ナットが移動できない状態）で、ナットが収容部に収容されている。
【先行技術文献】
【特許文献】
【０００５】
【特許文献１】特開２００３−２５０２４２号公報
【発明の概要】
【発明が解決しようとする課題】
【０００６】
しかしながら、上記特許文献１に記載のモータでは、凹形状の収容部の内側面にナットの外側面が当接した状態（ナットが移動できない状態）で、ナットが収容部に収容されている。このため、モータケース（ケース部）内が高圧になり、ワイヤハーネスに対して、ワイヤハーネスを押し出そうとする力（ワイヤハーネスが外部に抜けるようとする力）が働いた場合、ワイヤハーネス（導電部材）を外部に押し出そうとする力が、ナットを介してハウジングの収容部にかかる。その結果、ハウジングやモータケースが歪む場合があるという問題点がある。
【０００７】
この発明は、上記のような課題を解決するためになされたものであり、この発明の１つの目的は、導電部材を外部に押し出そうとする力に起因して、ハウジング部が歪むのを抑制することが可能な回転電機を提供することである。
【課題を解決するための手段】
【０００８】
上記目的を達成するために、この発明の一の局面における回転電機は、ロータおよびステータが収容されるケース部と、ケース部の開口を覆うように設けられるハウジング部と、回転電機本体部に給電するための外部配線が接続される導電部材と、導電部材をハウジング部に取り付けるための第１締結部材が収容される収容部とを備え、収容部は、平面視において、第１締結部材と略同じ大きさを有する第１収容部と、平面視において、第１締結部材より大きいとともに、第１収容部に第１締結部材が収容された状態で、導電部材を介して第２締結部材が第１締結部材に締結されることにより、第１収容部に収容されていた第１締結部材が移動して収容される第２収容部とを含む。
【０００９】
この発明の一の局面による回転電機では、上記のように、収容部は、平面視において、第１締結部材より大きいとともに、第１収容部に第１締結部材が収容された状態で、導電部材を介して第２締結部材が第１締結部材に締結されることにより、第１収容部に収容されていた第１締結部材が移動して収容される第２収容部を含む。これにより、第２締結部材が第１締結部材に締結された状態で、第１締結部材が、第１締結部材より大きい第２収容部に収容されるので、第１締結部材と第２収容部との間に隙間が生じる。その結果、導電部材を外部に押し出そうとする力（導電部材が外部に抜けようとする力）が働いた場合でも、導電部材とともに第１締結部材が移動するので、導電部材を外部に押し出そうとする力が、ハウジング部にかかるのを抑制することができる。これにより、導電部材を外部に押し出そうとする力に起因して、ハウジング部が歪むのを抑制することができる。
【００１０】
また、ハウジング部が歪むのが抑制されるので、ハウジング部が歪むことに起因して、回転電機の動作時に適切な給電が行われなくなること（通電のタイミングがずれること）を抑制することができる。その結果、回転電機の破損を抑制することができる。また、ハウジング部が歪むことに起因して、ハウジング部に設けられるＯリングなどが本来の変形の仕方と異なるように変形して、ケース部内の気密性が保持できなくなるのを抑制することができる。
【００１１】
上記一の局面による回転電機において、好ましくは、第１締結部材が第２収容部に収容された状態で、導電部材の外部配線が接続されている方向側において、第２収容部と第１締結部材との間に隙間が生じるように構成されている。
【００１２】
このように構成すれば、導電部材に、導電部材を外部に押し出そうとする力が働いた場合に、容易に、導電部材を外部配線が接続されている方向に移動させることができる。
【００１３】
上記一の局面による回転電機において、好ましくは、第１締結部材は、平面視において、多角形形状を有し、第１収容部は、平面視において、多角形形状を有する第１締結部材に対応する多角形形状を有し、第２収容部は、多角形形状を有する第１収容部の互いに対向する一対の対向面に連続するように一対設けられ、第１締結部材が第２収容部に収容された際に第１締結部材に当接する当接面を有する。
【００１４】
このように構成すれば、第１締結部材が第２収容部に収容された際に一対の当接面に当接するので、第１締結部材が第２収容部に収容された場合でも、第１締結部材が回転するのを当接面により抑制することができる。
【００１５】
上記一の局面による回転電機において、好ましくは、導電部材と第２締結部材との間に設けられ、導電部材を位置決めするための略Ｌ字形状を有する位置決め部材をさらに備え、導電部材は、ハウジング部に設けられる穴部に挿入されるように構成されており、収容部の近傍には、導電部材が穴部に挿入される方向に沿って延びるように設けられ、略Ｌ字形状を有する位置決め部材の端部が挿入される溝部が設けられている。
【００１６】
このように構成すれば、導電部材が穴部に挿入される挿入方向と交差する方向の、導電部材の位置決めを、端部が溝部に挿入された位置決め部材により行うことができるとともに、導電部材を外部に押し出そうとする力が働いた場合には、導電部材は、位置決め部材とともに溝部に沿って移動することができる。すなわち、導電部材を、挿入方向と交差する方向に位置決めしながら、導電部材を外部に押し出そうとする力が、ハウジング部にかかるのを抑制することができる。
【００１７】
上記一の局面による回転電機において、好ましくは、回転電機は、ケース部およびハウジング部に囲まれた空間が気密性を有する、コンプレッサ用のモータを含む。
【００１８】
ここで、コンプレッサ用のモータは、モータ（ケース部）の内部が比較的高圧になるため、導電部材を外部に押し出そうとする力（導電部材が外部に抜けようとする力）が働きやすい。そこで、上記一の局面のように、収容部を、平面視において、第１締結部材より大きい第２収容部を含むように構成して、導電部材を外部に押し出そうとする力が、ハウジング部にかかるのを抑制することは、コンプレッサ用のモータに対して特に有効である。
【００１９】
なお、本出願では、上記一の局面による回転電機とは別に、以下のような他の構成も考えられる。
【００２０】
（付記項１）
すなわち、本出願の他の構成による回転電機では、第１収容部と第２収容部とは、第２締結部材が第１締結部材に締結されることにより第１締結部材が移動する方向に沿って連続するように設けられている。
【００２１】
（付記項２）
また、本出願の他の構成による回転電機では、連続するように設けられている第１収容部と第２収容部とは、導電部材の外部配線が接続されている方向側において、段差状に接続されている。
【００２２】
（付記項３）
また、本出願の他の構成による回転電機では、ハウジング部に設けられ、ブラシを保持するためのブラシホルダをさらに備え、第１収容部および第２収容部は、ブラシホルダに一体的に設けられている。
【００２３】
（付記項４）
また、本出願の他の構成による回転電機では、第１締結部材は、ナットを含み、第２締結部材は、ボルトを含み、第１収容部にナットが収容された状態で、導電部材を介してボルトを回転さることにより、第１収容部に収容されていたナットがボルト側に移動して第２収容部に収容されるように構成されている。
【図面の簡単な説明】
【００２４】
【図１】本発明の一実施形態によるモータの断面図である。
【図２】本発明の一実施形態によるモータのブラシホルダの斜視図である。
【図３】ボルトがナットに締結した後の状態の断面図である。
【図４】ボルトがナットに締結する前の状態の断面図である。
【図５】本発明の一実施形態によるモータの絶縁部材の斜視図である。
【図６】本発明の一実施形態によるモータの収容部の斜視図である。
【図７】図９の２００−２００線に沿った断面図（模式図）である。
【図８】図１０の３００−３００線に沿った断面図（模式図）である。
【図９】本発明の一実施形態によるモータの収容部（ボルトがナットに締結する前）の断面図である。
【図１０】本発明の一実施形態によるモータの収容部（ボルトがナットに締結した後）の断面図である。
【図１１】本発明の一実施形態によるモータの収容部（ナットおよび位置決め部材が配置された状他）の斜視図である。
【発明を実施するための形態】
【００２５】
以下、本発明の実施形態を図面に基づいて説明する。
【００２６】
図１〜図１１を参照して、本実施形態によるモータ１００の構成について説明する。なお、本実施形態では、モータ１００は、たとえば、モータケース１０およびハウジング部２０に囲まれた空間が気密性を有するコンプレッサ用のモータ１００である。
【００２７】
図１に示すように、モータ１００には、モータケース１０が設けられている。モータケース１０は、円筒状（Ｚ２方向側が開口するコップ状）に形成されている。また、モータ１００の内部には、ロータ１１およびステータ１２（永久磁石）が収容されている。なお、モータケース１０は、特許請求の範囲の「ケース部」の一例である。
【００２８】
また、ロータ１１には、回転軸１３が設けられている。回転軸１３は、モータケース１０に設けられる軸受１４ａと、後述するハウジング部２０に設けられる軸受１４ｂとによって支持されている。
【００２９】
また、モータ１００には、アルミニウムなどからなるハウジング部２０が設けられている。ハウジング部２０は、モータケース１０の開口を覆うように設けられている。また、モータケース１０内周面とハウジング部２０の外周面との間には、Ｏリング２１が設けられている。これにより、モータケース１０とハウジング部２０との間の気密性が確保されている。
【００３０】
また、ロータ１１には、整流子１５が設けられている。整流子１５には、ロータ１１から延びるコイルワイヤが接続されている。また、整流子１５は、回転軸１３に固定されている。
【００３１】
また、図２に示すように、ハウジング部２０のＺ１方向側には、ブラシホルダ３０が設けられている。ブラシホルダ３０のＺ１方向側には、ロータ１１の整流子１５に対して電力を供給する複数のブラシ３１が保持されている。そして、整流子１５とブラシ３１とが対向するように配置される。
【００３２】
ブラシ３１には、ブラシ３１に導通するように、ピグテール３２が接続されている。ピグテール３２は、柔軟性を有する配線から構成されている。
【００３３】
また、図３および図４に示すように、ハウジング部２０の側面側（Ｘ１方向側）には、穴部２２が設けられている。穴部２２は、貫通穴からなる。
【００３４】
ここで、本実施形態では、モータ１００には、ハウジング部２０の穴部２２に挿入される導電部材４１が設けられている。導電部材４１のＸ１方向側の端部には、モータ１００（モータ本体部１００ａ）の内部に給電するための外部リード線４２が接続されている。また、導電部材４１のＸ２方向側の端部は、ピグテール３２に電気的に接続されている。具体的には、導電部材４１のＸ１方向側には、外部リード線４２をねじ止めするための非貫通のねじ挿入穴４１ａが設けられている。そして、外部リード線４２を介して、導電部材４１のねじ挿入穴４１ａにねじ４３が螺合されることにより、外部リード線４２が導電部材４１に接続される。なお、外部リード線４２は、本発明の「外部配線」の一例である。
【００３５】
また、導電部材４１のＸ２方向側は、平坦状に形成されている。そして、導電部材４１のＸ２方向側には、ねじ挿入穴４１ｂが設けられている。そして、後述するピグテール３２に接続されている位置決め部材６０のねじ挿入穴６０ｂおよび導電部材４１のねじ挿入穴４１ｂを介して、ボルト５２がナット５１に締結（螺合）されることにより、導電部材４１のＸ２方向側の端部が、ピグテール３２に電気的に接続される。
【００３６】
また、ハウジング部２０の穴部２２と導電部材４１との間には、ハウジング部２０と導電部材４１とを絶縁する絶縁部材４４が設けられている。具体的には、絶縁部材４４は、略円筒形状（図５参照）を有しており、絶縁部材４４は、ハウジング部２０の穴部２２の内周面と、導電部材４１の外周面との間に、穴部２２と導電部材４１との間の空間を埋めるように設けられている。また、導電部材４１は、絶縁部材４４に設けられる穴部４４ａに挿入されるように構成されている。また、絶縁部材４４は、樹脂などから構成されている。
【００３７】
また、導電部材４１の外周面と絶縁部材４４の内周面との間には、ハウジング部２０の内部側（Ｘ２方向側）から外部側（Ｘ１方向側）への気体（空気）の流出を抑制する弾性を有するＯリング４５が設けられている。
【００３８】
また、絶縁部材４４の外周面とハウジング部２０の穴部２２の内周面との間には、ハウジング部２０の内部側（Ｘ２方向側）から外部側（Ｘ１方向側）への気体（空気）の流出を抑制する弾性を有するＯリング４６が設けられている。
【００３９】
また、ハウジング部２０には、穴部２２を覆うように、板状部材４７が設けられている。板状部材４７は、絶縁部材４４に導電部材４１が挿入されるとともに、導電部材４１に外部リード線４２が接続された状態で、ねじ４８により、ハウジング部２０に固定されるように構成されている。
【００４０】
ここで、本実施形態では、図６に示すように、ブラシホルダ３０には、導電部材４１をハウジング部２０に取り付けるためのナット５１が収容される収容部３３が設けられている。そして、収容部３３は、平面視において、ナット５１と略同じ大きさを有する第１収容部３４（図７参照）と、平面視において、ナット５１より大きい第２収容部３５（図８参照）とを含む。そして、第１収容部３４にナット５１が収容された状態（図９参照）で、導電部材４１を介してボルト５２がナット５１に締結されることにより、第１収容部３４に収容されていたナット５１が移動して第２収容部３５に収容（図１０参照）される。具体的には、第１収容部３４にナット５１が収容された状態で、導電部材４１を介してボルト５２を回転さることにより、第１収容部３４に収容されていたナット５１がボルト５２側（Ｚ１方向側）に移動して第２収容部３５に収容される。なお、ナット５１およびボルト５２は、それぞれ、特許請求の範囲の「第１締結部材」および「第２締結部材」の一例である。
【００４１】
また、本実施形態では、図７に示すように、ナット５１は、平面視において、略正六角形形状を有する。また、第１収容部３４は、平面視において、略正六角形形状を有するナット５１に対応するように、略正六角形形状を有する。ナット５１は、第１収容部３４に軽圧入された状態で収容されている。そして、第１収容部３４に軽圧入された状態で収容されているナット５１に、Ｚ１方向側から、導電部材４１のＸ２方向側の端部および後述する位置決め部材６０を介して、ボルト５２がナット５１に締結（螺合）される。これにより、第１収容部３４に収容されていたナット５１がＺ１方向側に移動して、第２収容部３５に収容される。
【００４２】
また、図１０に示すように、第１収容部３４の深さｄ（Ｚ方向に沿った深さｄ）は、ナット５１のＺ方向に沿った厚みｔよりも小さい。そして、ナット５１がＺ１方向側に移動して、第２収容部３５に収容された状態で、ナット５１の下面５１ａ（Ｚ２方向側の面）が第１収容部３４の開口端３４ａと略同じ高さ位置になるか、または、ナット５１の下面５１ａの高さ位置が、第１収容部３４の開口端３４ａの高さ位置よりもやや高くなる。
【００４３】
また、本実施形態では、図７および図８に示すように、第２収容部３５は、略正六角形形状を有する第１収容部３４の互いに対向する一対の内側面３４ｃおよび３４ｄに連続するように一対設けられ、ナット５１が第２収容部３５に収容された際にナット５１に当接する内側面３５ｃおよび３５ｄを有する。具体的には、第１収容部３４（図７参照）は、平面視において、互いに略等しい長さＬ１を有する内側面３４ａ〜３４ｆを有する。そして、第２収容部３５（図８参照）は、平面視において、第１収容部３４の内側面３４ａおよび３４ｂに連続するように設けられ、内側面３４ａおよび３４ｂの長さＬ１と略等しい長さＬ２を有する内側面３５ａおよび３５ｂを有する。また、第２収容部３５は、平面視において、第１収容部３４の内側面３４ｃおよび３４ｄに連続するように設けられ、内側面３４ｃおよび３４ｄの長さＬ１よりも大きい長さＬ３を有する内側面３５ｃおよび３５ｄを有する。そして、内側面３５ａ〜３５ｄが、ナット５１に当接する。このように、第２収容部３５の内側面３５ａ〜３５ｄがナット５１に当接することにより、ナット５１よりも大きい第２収容部３５にナット５１が収容された状態でも、ナット５１の回転が抑制される。なお、内側面３４ａおよび３４ｂは、特許請求の範囲の「対向面」の一例である。また、内側面３５ｃおよび３５ｄは、特許請求の範囲の「当接面」の一例である。
【００４４】
また、本実施形態では、図８に示すように、ナット５１が第２収容部３５に収容された状態で、導電部材４１の外部リード線４２が接続されている方向側（Ｘ１方向側）において、第２収容部３５とナット５１との間に隙間Ｃが生じる。具体的には、平面視において、第２収容部３５の内側面３５ｃに接続される内側面３５ｅ、および、内側面３５ｄに接続される内側面３５ｆは、それぞれ、第１収容部３４の内側面３４ｅ（図７参照）および内側面３４ｆよりも、Ｘ１方向側に配置されている。これにより、ナット５１が第２収容部３５に収容された状態で、平面視において、ナット５１と、第２収容部３５の内側面３５ｅおよび内側面３５ｆとの間に、Ｘ方向に沿って隙間Ｃが生じる。
【００４５】
また、図７に示すように、平面視において、内側面３４ａ〜３４ｆの端部同士は、それぞれ、円弧状に接続されている。また、図８に示すように、平面視において、内側面３５ａ〜３５ｆの端部同士は、それぞれ、円弧状に接続されている。なお、内側面３４ｄおよび内側面３５ｄは、図７および図８では直線状に記載しているが、実際は、図６に示すように、波形状を有する。これにより、容易に、ナット５１を、第１収容部３４および第２収容部３５に軽圧入することが可能になる。
【００４６】
また、図６に示すように、第１収容部３４と第２収容部３５とは、ボルト５２がナット５１に締結されることによりナット５１が移動する方向（Ｚ方向）に沿って連続するように設けられている。具体的には、連続するように設けられている第１収容部３４と第２収容部３５とは、導電部材４１の外部リード線４２が接続されている方向側（Ｘ１方向側）において、段差状に接続されている。
【００４７】
また、本実施形態では、図３および図４に示すように、導電部材４１とボルト５２との間に設けられ、導電部材４１を位置決めするための略Ｌ字形状（図１１参照）を有する位置決め部材６０が設けられている。なお、位置決め部材６０は、導電性を有する銅などにより形成されており、ピグテール３２に接続（溶接）されている。また、位置決め部材６０には、ボルト５２が貫通するねじ挿入穴６０ａが設けられている。そして、ボルト５２が、位置決め部材６０のねじ挿入穴６０ａ、および、導電部材４１のねじ挿入穴４１ｂを介して、ナット５１に締結されることにより、導電部材４１がハウジング部２０に対して固定される。
【００４８】
ここで、本実施形態では、図１１に示すように、収容部３３の近傍には、導電部材４１がハウジング部２０の穴部２２に挿入される方向（Ｘ方向）に沿って延びるように設けられ、略Ｌ字形状を有する位置決め部材６０の端部６０ｂが挿入される溝部３６が設けられている。具体的には、収容部３３は、ブラシホルダ３０の円環状の部分３０ａに設けられた穴部３０ｂから、下方（Ｚ２方向）に延びるように設けられた柱状（軸方向に沿って半分に切断された筒形状）の部分３０ｃの下端に設けられている。そして、溝部３６は、収容部３３の外側面３３ａ（収容部３３を形成する壁部）と、柱状の部分３０ｃとの間に設けられている。そして、略Ｌ字形状の位置決め部材６０の端部６０ｂが溝部３６に挿入された状態で、導電部材４１のＹ方向の移動が規制される一方、Ｘ１方向の移動は規制されない。これにより、導電部材４１を外部に押し出そうとする力（導電部材４１がＸ１方向に抜ける力）が働いた場合に、導電部材４１は、Ｘ１方向に移動可能である。
【００４９】
また、収容部３３（第１収容部３４、第２収容部３５）は、ブラシホルダ３０に一体的に設けられている。たとえば、ブラシホルダ３０および収容部３３（第１収容部３４、第２収容部３５）は、樹脂により一体的に形成されている。
【００５０】
（導電部材の取り付け方法）
次に、導電部材４１の取り付け方法について説明する。
【００５１】
まず、図４に示すように、ブラシホルダ３０がハウジング部２０に載置される。なお、収容部３３は、ブラシホルダ３０がハウジング部２０に載置された状態で、ハウジング部２０の穴部２２のＸ２方向側に配置される。そして、ハウジング部２０の穴部２２に導電部材４１が挿入される。これにより、導電部材４１のＸ２方向側の端部が収容部３３の上方（Ｚ１方向側）に配置される。なお、ナット５１は、予め収容部３３の第１収容部３４に収容されている。ここで、第１収容部３４の大きさは、ナット５１の大きさと略同じであるため、ナット５１は、Ｘ方向に移動できない。
【００５２】
次に、位置決め部材６０が導電部材４１のＸ２方向側の端部の上方に配置される。この時、位置決め部材６０の端部６０ｂは、溝部３６（図１１参照）に挿入される。そして、ボルト５２が、位置決め部材６０のねじ挿入穴６０ａおよび導電部材４１のねじ挿入穴４１ａを介して、ナット５１に締結されることにより、第１収容部３４に収容されていたナット５１（図４、図７、図９参照）が、第２収容部３５に収容（図３、図８、図１０参照）される。この状態で、ナット５１のＸ１方向側に隙間Ｃが生じているので、導電部材４１は、ナット５１とともに、Ｘ１方向に移動可能になる。また、溝部３６もＸ１方向に延びるように形成されているので、端部６０ｂが溝部３６に挿入された位置決め部材６０は、導電部材４１およびナット５１とともに、Ｘ１方向に移動可能になる。
【００５３】
本実施形態では、以下のような効果を得ることができる。
【００５４】
本実施形態では、上記のように、収容部３３は、平面視において、ナット５１より大きいとともに、第１収容部３４にナット５１が収容された状態で、導電部材４１を介してボルト５２がナット５１に締結されることにより、第１収容部３４に収容されていたナット５１が移動して収容される第２収容部３５を含む。これにより、ボルト５２がナット５１に締結された状態で、ナット５１が、ナット５１より大きい第２収容部３５に収容されるので、ナット５１と第２収容部３５との間に隙間Ｃが生じる。その結果、導電部材４１を外部に押し出そうとする力（導電部材４１が外部に抜けようとする力）が働いた場合でも、導電部材４１とともにナット５１が移動するので、導電部材４１を外部に押し出そうとする力が、ハウジング部２０にかかるのを抑制することができる。これにより、導電部材４１を外部に押し出そうとする力に起因して、ハウジング部２０が歪むのを抑制することができる。
【００５５】
また、ハウジング部２０が歪むのが抑制されるので、ハウジング部２０が歪むことに起因して、モータ１００の動作時に適切な給電が行われなくなること（通電のタイミングがずれること）を抑制することができる。その結果、モータ１００の破損を抑制することができる。また、ハウジング部２０が歪むことに起因して、ハウジング部２０に設けられるＯリング２１などが本来の変形の仕方と異なるように変形して、モータケース１０内の気密性が保持できなくなるのを抑制することができる。
【００５６】
また、本実施形態では、上記のように、ナット５１が第２収容部３５に収容された状態で、導電部材４１の外部リード線４２が接続されている方向側において、第２収容部３５とナット５１との間に隙間Ｃが生じるように構成されている。これにより、導電部材４１に、導電部材４１を外部に押し出そうとする力が働いた場合に、容易に、導電部材４１を外部リード線４２が接続されている方向に移動させることができる。
【００５７】
また、本実施形態では、上記のように、第２収容部３５は、多角形形状を有する第１収容部３４の互いに対向する一対の内側面３４ｃおよび３４ｄに連続するように一対設けられ、ナット５１が第２収容部３５に収容された際にナット５１に当接する内側面３５ｃおよび３５ｄを有する。これにより、ナット５１が第２収容部３５に収容された際に一対の内側面３５ｃおよび３５ｄに当接するので、ナット５１が第２収容部３５に収容された場合でも、ナット５１が回転するのを内側面３５ｃおよび３５ｄにより抑制することができる。
【００５８】
また、本実施形態では、上記のように、収容部３３の近傍には、導電部材４１が穴部２２に挿入される方向に沿って延びるように、略Ｌ字形状を有する位置決め部材６０の端部６０ｂが挿入される溝部３６が設けられている。これにより、導電部材４１が穴部に挿入される挿入方向と交差する方向の、導電部材４１の位置決めを、端部６０ｂが溝部３６に挿入された位置決め部材６０により行うことができるとともに、導電部材４１を外部に押し出そうとする力が働いた場合には、導電部材４１は、位置決め部材６０とともに溝部３６に沿って移動することができる。すなわち、導電部材４１を、挿入方向（Ｘ方向）と交差する方向（Ｙ方向）に位置決めしながら、導電部材４１を外部に押し出そうとする力が、ハウジング部２０にかかるのを抑制することができる。
【００５９】
また、本実施形態では、上記のように、モータ１００は、モータケース１０およびハウジング部２０に囲まれた空間が気密性を有する、コンプレッサ用のモータ１００である。ここで、コンプレッサ用のモータ１００は、モータ１００（モータケース１０）の内部が比較的高圧になるため、導電部材４１を外部に押し出そうとする力（導電部材４１が外部に抜けようとする力）が働きやすい。そこで、収容部３３を、平面視において、ナット５１より大きい第２収容部３５を含むように構成して、導電部材４１を外部に押し出そうとする力が、ハウジング部２０にかかるのを抑制することは、コンプレッサ用のモータ１００に対して特に有効である。
【００６０】
また、本実施形態では、上記のように、第１収容部３４と第２収容部３５とは、ボルト５２がナット５１に締結されることによりナット５１が移動する方向（Ｚ方向）に沿って連続するように設けられている。これにより、第１収容部３４と第２収容部３５とが連続するように設けられているので、第１収容部３４に収容されていたナット５１を第２収容部３５にスムーズに移動させることができる。
【００６１】
また、本実施形態では、上記のように、連続するように設けられている第１収容部３４と第２収容部３５とは、導電部材４１の外部リード線４２が接続されている方向側（Ｘ１方向側）において、段差状に接続されている。これにより、容易に、導電部材４１の外部リード線４２が接続されている方向側において、隙間Ｃを生じさせることができる。
【００６２】
また、本実施形態では、上記のように、第１収容部３４および第２収容部３５は、ブラシホルダ３０に一体的に設けられている。これにより、第１収容部３４および第２収容部３５がブラシホルダ３０とは別個に設けられている場合と異なり、部品点数が増加するのを抑制することができる。
【００６３】
また、本実施形態では、上記のように、第１収容部３４にナット５１が収容された状態で、導電部材４１を介してボルト５２を回転さることにより、第１収容部３４に収容されていたナット５１がボルト５２側に移動して第２収容部３５に収容されるように構成されている。これにより、導電部材４１を介してボルト５２を回転さることにより、容易に、第１収容部３４に収容されていたナット５１を第２収容部３５に移動させることができる。
【００６４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００６５】
たとえば、上記実施形態では、ナット５１が、平面視において、略六角形形状を有する例を示したが、本発明はこれに限られない。たとえば、ナット５１が、平面視において、略六角形形状以外の多角形形状を有していてもよい。
【００６６】
また、上記実施形態では、コンプレッサ用のモータ１００に本発明を適用する例を示したが、本発明はこれに限られない。たとえば、コンプレッサ用のモータ以外のモータ、または、発電機に本発明を適用してもよい。
【００６７】
また、上記実施形態では、第１収容部３４と第２収容部３５とが、ボルト５２がナット５１に締結されることによりナット５１が移動する方向に沿って連続するように設けられている例を示したが、本発明はこれに限られない。たとえば、第１収容部３４と第２収容部３５とが離間していてもよい。
【００６８】
また、上記実施形態では、第１収容部３４および第２収容部３５が、ブラシホルダ３０に一体的に設けられている例を示したが、本発明はこれに限られない。たとえば、第１収容部３４および第２収容部３５が、ブラシホルダ３０とは別個に設けられていてもよい。
【００６９】
また、上記実施形態では、ナット５１とボルト５２とによって導電部材４１をハウジング部２０に取り付ける例を示したが、本発明はこれに限られない。たとえば、ナット５１およびボルト５２以外の締結部材により、導電部材４１をハウジング部２０に取り付けてもよい。
【符号の説明】
【００７０】
１０  モータケース（ケース部）
１１  ロータ
１２  ステータ
２０  ハウジング部
２２  穴部
３３  収容部
３４  第１収容部
３４ｃ、３４ｄ  内側面（対向面）
３５  第２収容部
３５ｃ、３５ｄ  内側面（当接面）
３６  溝部
４１  導電部材
４２  外部リード線（外部配線）
５１  ナット（第１締結部材）
５２  ボルト（第２締結部材）
６０  位置決め部材
６０ｂ  端部
１００  モータ（回転電機）
１００ａ  モータ本体部（回転電機本体部）
Ｃ  隙間
【図１】
2018007429.tif 000003
【図２】
2018007429.tif 000004
【図３】
2018007429.tif 000005
【図４】
2018007429.tif 000006
【図５】
2018007429.tif 000007
【図６】
2018007429.tif 000008
【図７】
2018007429.tif 000009
【図８】
2018007429.tif 000010
【図９】
2018007429.tif 000011
【図１０】
2018007429.tif 000012
【図１１】
2018007429.tif 000013